【事件の表示】
　平成１０年特許願第１５９５４５号「ディジタルビデオ信号送信装置及び受信装置」拒絶査定不服審判事件〔平成１１年１２月２４日出願公開、特開平１１−３５３７９０〕について、次のとおり審決する。
【結　論】
　本件審判の請求は、成り立たない。
【理　由】
第１　手続の経緯
　
　本願は、平成１０年６月８日に出願したものであって、平成１８年１２月１１日付けで拒絶理由が通知されて平成１９年３月７日付けで拒絶査定がされた。これに対し、同年４月１２日付けで拒絶査定不服審判が請求されるとともに、同年５月１４日付けで手続補正がなされた。
　その後、平成２１年１０月９日付けで前置報告書を利用した審尋がなされ、同年１２月１４日付けで回答書が提出されたものである。
　
第２　平成１９年５月１４日付けの手続補正についての補正却下の決定
　
［補正却下の決定の結論］
　平成１９年５月１４日付けの手続補正を却下する。
　
［理由］
１．本件補正
　
　平成１９年５月１４日付けの手続補正（以下「本件補正」という。）は、明細書についてするもので、特許請求の範囲については、本件補正前に、
「　【請求項１】　ディジタルビデオディスクから読み出され復調された可変レートのシリアルパケットデータ（映像データや音楽データを含むディジタルデータ）を少なくとも映像データ、音楽データ及びその他のデータに分割すると共にバッファリングして各データ毎にデコードして再生信号を出力する再生手段と、
　前記シリアルパケットデータからＭＰＥＧ（Moving Picture Expert Group）のトランスポートストリームを生成するＭＰＥＧトランスポートストリーム（ＭＰＥＧ−ＴＳ）生成手段と、
　この手段にて生成されたＭＰＥＧトランスポートストリームを予め定められた伝送レートのディジタル送信データに変換して送信するディジタルインターフェース手段と
　を備えてなることを特徴とするディジタルビデオ信号送信装置。
　　【請求項２】　前記ＭＰＥＧトランスポートストリーム生成手段は、前記各データ全て、あるいは指定されたデータのみのＭＰＥＧトランスポートストリームを生成するものであることを特徴とする請求項１記載のディジタルビデオ信号送信装置。
　　【請求項３】　前記ＭＰＥＧトランスポートストリーム生成手段は、前記再生手段での再生状態と受信側機器での再生状態とを整合させるための制御情報をプライベートデータとしてパケット化するものであることを特徴とする請求項１又は２記載のディジタルビデオ信号送信装置。
　　【請求項４】　前記プライベートデータは、前記再生手段での再生速度、再生方向、スチール状態、コマ送り、ポーズ、ストップ及びプレイのうちの少なくとも１つの動作状況を示す情報を含むことを特徴とする請求項３記載のディジタルビデオ信号送信装置。
　　【請求項５】　前記プライベートデータは、前記再生手段でのバッファリングの制御情報を含むことを特徴とする請求項３記載のディジタルビデオ信号送信装置。
　　【請求項６】　前記プライベートデータは、前記再生装置において画像デコーダのバッファメモリをクリアしたことを知らせる情報を含むことを特徴とする請求項３記載のディジタルビデオ信号送信装置。
　　【請求項７】　前記再生手段は、前記可変レートのシリアルパケットデータからサブピクチャデータを分割し、
　前記ＭＰＥＧトランスポートストリーム生成手段は、前記サブピクチャデータを独立したプライベートデータのパケットとして生成するものである
　ことを特徴とする請求項１記載のディジタルビデオ信号送信装置。
　　【請求項８】　予め定められた伝送レートのディジタルインターフェースを介してディジタル受信データを受信するディジタルデータ受信手段と、
　この受信手段で受信されたディジタル受信データからＭＰＥＧのトランスポートストリームを再生するＭＰＥＧトランスポートストリーム再生手段と、
　この手段で再生されたＭＰＥＧトランスポートストリームを少なくとも映像データ、音楽データ及びその他のプライベートデータに分割すると共にバッファリングして各データ毎にデコードして再生信号を出力する再生手段と、
　前記プライベートデータに基づいて前記再生手段を制御する制御手段と
　を備えたことを特徴とするディジタルビデオ信号受信装置。
　　【請求項９】　前記プライベートデータには、前記再生手段での再生速度、再生方向、スチール状態、コマ送り、ポーズ、ストップ及びプレイのうちの少なくとも１つの動作状況を示す情報が含まれており、
　前記制御手段は、この情報に基づいて再生手段の再生を制御するものであることを特徴とする請求項８記載のディジタルビデオ信号受信装置。
　　【請求項１０】　前記プライベートデータには、前記再生手段でのバッファリングの制御情報が含まれており、
　前記制御手段は、この制御情報に基づいて前記再生手段でのバッファリングを制御するものであることを特徴とする請求項８記載のディジタルビデオ信号受信装置。
　　【請求項１１】　前記プライベートデータには、前記再生手段において画像デコーダのバッファメモリをクリアするための制御情報が含まれており、
　前記制御手段は、この制御情報に基づいて前記再生手段でのバッファメモリをクリアするものであることを特徴とする請求項８記載のディジタルビデオ信号受信装置。」
とあったところを、
　
本件補正後、
「　【請求項１】　ディジタルビデオディスクから読み出され復調された可変レートのシリアルパケットデータ（映像データや音楽データを含むディジタルデータ）を少なくとも映像データ、音楽データ及びその他のデータに分割すると共にバッファリングして各データ毎にデコードして再生信号を出力する再生手段と、
　前記シリアルパケットデータからＭＰＥＧ（Moving Picture Expert Group）のトランスポートストリームを生成するＭＰＥＧトランスポートストリーム（ＭＰＥＧ−ＴＳ）生成手段と、
　この手段にて生成されたＭＰＥＧトランスポートストリームを予め定められた伝送レートのディジタル送信データに変換して送信するディジタルインターフェース手段と
　を備え
、
　
前記ＭＰＥＧトランスポートストリーム生成手段は、前記再生手段での再生状態と受信側機器での再生状態とを整合させるための制御情報をプライベートデータとしてパケット化するものである
　　【請求項２】　前記ＭＰＥＧトランスポートストリーム生成手段は、前記各データ全て、あるいは指定されたデータのみのＭＰＥＧトランスポートストリームを生成するものであることを特徴とする請求項１記載のディジタルビデオ信号送信装置。
　　【請求項
３
１又は２
　　【請求項
４
１又は２
　　【請求項
５
手段
１又は２
　　【請求項
６
　　【請求項
７
映像データ、音楽データ及びその他の送信側と受信側での再生状態を整合させるための制御情報であるプライベートデータを含む
　この受信手段で受信されたディジタル受信データからＭＰＥＧのトランスポートストリームを再生するＭＰＥＧトランスポートストリーム再生手段と、
　この手段で再生されたＭＰＥＧトランスポートストリームを少なくとも映像データ、音楽データ及びその他のプライベートデータに分割すると共にバッファリングして各データ毎にデコードして再生信号を出力する再生手段と、
　前記プライベートデータに基づいて前記再生手段を制御する制御手段と
　を備えたことを特徴とするディジタルビデオ信号受信装置。
　　【請求項
８
７
　　【請求項
９
７
　　【請求項
１０
７
とするものである。
　
　上記本件補正前後の構成を対比すると、補正後の請求項７は、補正前の請求項８に対応し、そして、補正前の請求項８についての補正は、発明特定事項である「ディジタル受信データ」について「映像データ、音楽データ及びその他の送信側と受信側での再生状態を整合させるための制御情報であるプライベートデータを含む」と限定したものであるから、平成１８年法律第５５号改正附則第３条第１項によりなお従前の例によるとされる同法による改正前の特許法第１７条の２第４項第２号に規定する特許請求の範囲の減縮を目的とするものに該当する。
　
　そこで、本件補正後の請求項７に係る発明（以下「本件補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かについて、以下検討する。
　
２．引用例
　
　原査定の拒絶の理由に引用された特開１０−１４５７８４号公報（平成１０年５月２９日公開、以下「引用例」という。）には、図面と共に、以下の記載がある。（なお、下線は当審で付与した。）
　
（１）「【０００３】このDVDプレーヤにおいては、
選択するメニューの番号（サブピクチャストリーム番号）、選択するオーディオストリーム番号、あるいはハイライト表示するボタン番号などのシステムパラメータ
　
（２）「【００３０】
デコーダ４−１は、インタフェース５１を有し、インタフェース５１の１３９４Isochronous部５１Ｂは、AVバス５を介して供給されてきたビデオデータ、オーディオデータ、サブピクチャデータ、およびナビ情報データを取り込み、デマルチプレクサ５２に出力するようになされている。デマルチプレクサ５２は、入力されたデータからオーディオデータ、ビデオデータ、サブピクチャデータ、およびNV_PCKをそれぞれ分離し、オーディオデコーダ５３、ビデオデコーダ５４、サブピクチャデコーダ５５、またはデコーダ５６に、それぞれ出力するようになされている。
　
（３）「【００４１】さらにステップＳ２２において、システムパラメータの作成要求のコマンドが受信されていないと判定された場合、
ステップＳ２６に進み、入力部２０からシステムパラメータの作成が指令されたか否かを判定する。システムパラメータの作成が指令されたと判定された場合、ステップＳ２３に進み、ナビマネージャ１７は、入力に対応するシステムパラメータを作成し、ステップＳ２４において、これをメモリ１８に記憶させる。さらにステップＳ２５において、このシステムパラメータをメモリ１８から読み出し、デコーダ４−１乃至４−３に出力する。
【００４２】図７は、この場合におけるデコーダ４−ｉの処理を表している。すなわち、最初にステップＳ３１において、デコーダ４−ｉは、システムパラメータを受信するまで待機し、システムパラメータを受信したとき、ステップＳ３２において、これをメモリ５９に記憶させる。
【００４３】以上のようにして、AVバス５にデジタルテレビジョン受像機３−ｉが接続されたとき、その対応するデコーダ４−ｉが、自動的にシステムパラメータの転送をDVDプレーヤ１に要求し、そのシステムパラメータをメモリ５９に記憶させる。また、所定のデジタルテレビジョン受像機３−ｉにおいて、システムパラメータの変更が指令されると、DVDプレーヤ１において、この指定に対応してシステムパラメータが作成され、これがDVDプレーヤ１のメモリ１８に記憶されるだけでなく、AVバス５に接続されているすべてのデジタルテレビジョン受像機３−ｉのデコーダ４−ｉに転送され、記憶される。
DVDプレーヤ１において、システムパラメータの変更が指令され、それに対応して変更された場合においても、変更されたシステムパラメータが、AVバス５に接続されているすべてのデジタルテレビジョン受像機３−ｉのデコーダ４−ｉに転送される。このようにして、DVDプレーヤ１と各デジタルテレビジョン受像機３−ｉのデコーダ４−ｉには、常に同一のシステムパラメータが保持される。
【００４５】
各デコーダ４−１乃至４−３の１３９４Isochronous部５１Ｂは、入力されたデータをフォーマット変換した後、デマルチプレクサ５２に出力する。デマルチプレクサ５２は、入力されたデータからオーディオデータ、ビデオデータ、およびサブピクチャデータをそれぞれ分離し、オーディオデコーダ５３、ビデオデコーダ５４、またはサブピクチャデコーダ５５に、それぞれ出力する。オーディオデコーダ５３は、入力されたオーディオデータをデコードし、内蔵するスピーカ（図示せず）に出力する。ビデオデコーダ５４は、入力されたビデオデータをデコードする。また、サブピクチャデコーダ５５は、入力されたサブピクチャデータをデコードする。ビデオデコーダ５４とサブピクチャデコーダ５５の出力は重畳され、図示せぬＤ／Ａ変換回路によりＤ／Ａ変換された後、対応するＣＲＴなどの表示部に出力され、表示される。
【００４６】
デコード制御部５８は、オーディオデコーダ５３、ビデオデコーダ５４、およびサブピクチャデコーダ５５のデコード処理をメモリ５９に記憶されているシステムパラメータに対応して制御する。
　
（４）「【００６０】そこで、
１２５μｓ毎に確実にデータが伝送されるIsochronous通信により、上記システムパラメータを伝送するようにすることが考えられる。
　
（５）「【００７３】図１７は、
MPEG-TS伝送時におけるパケット識別子（PID）の拡張案
DVDパケットの種類として新たにSPRMパケット（SPRM_PKT）を設け
【００７４】図１８は、
MPEG-TS伝送時におけるSPRM伝送用のプログラムパケットの構成例
【００７５】これらのパケットは、図４乃至図７のフローチャートを参照して上述した場合と基本的に同様の処理によって、ＤＶＤプレーヤ１、デジタルＴＶ３−１乃至３−３の間で定期的に転送される。ただし、この場合、Isochronous通信による伝送が行われるため、図１９に示したように、変換回路１９は、ナビマネージャ１７より供給されたシステムパラメータをIEEE１３９４のIsochronous通信用のフォーマットのデータに変換し、インタフェース２１の１３９４Isochronous部２１Ｂに出力するとともに、インタフェース２１より供給されたIEEE１３９４のフォーマットのデータをナビマネージャ１７の解釈可能なフォーマットに変換し、ナビマネージャ１７に出力する。また、インタフェース２１の１３９４Isochronous部２１Ｂは、変換回路１９とAVバス５との間でシステムパラメータを入出力する場合のインタフェース処理を行う。
【００７６】MPEG2-PS伝送時においては、デマルチプレクサ５２は、１３９４Isochronous部５１Ｂを介して供給されたパケット（図１５）のDVDパケットヘッダを取り込み、変換回路６０に供給する。また、
MPEG2-TS伝送時においては、デマルチプレクサ５２は、１３９４Isochronous部５１Ｂを介して供給されたプログラムパケット（図１８）のTSヘッダの後の４８バイトのデータ（システムパラメータ）を取り込み、変換回路６０に供給する。
変換回路６０は、１３９４Isochronous部５１Ｂより供給されたデータのフォーマットをシステムコントローラ５７のフォーマットのデータに変換し、システムコントローラ５７のデコード制御部５８に出力する。
　
　上記摘示事項及び図面の記載を総合勘案すると、引用例には、次の発明（以下「引用発明」という。）が記載されているものと認める。
　
「MPEG2-TSによってAVバスを介して供給されてきたビデオデータ、オーディオデータ、サブピクチャデータ、およびシステムパラメータを入力し、入力されたデータをフォーマット変換するインタフェースの１３９４Isochronous部と、
　入力されたデータからオーディオデータ、ビデオデータ、サブピクチャデータ、およびシステムパラメータをそれぞれ分離するデマルチプレクサと、
　入力されたオーディオデータをデコードするオーディオデコーダと、
　入力されたビデオデータをデコードするビデオデコーダと、
　入力されたサブピクチャデータをデコードするサブピクチャデコーダと、
　オーディオデコーダ、ビデオデコーダ、およびサブピクチャデコーダのデコード処理をシステムパラメータに対応して制御するデコード制御部と
　を備えたデコーダ。」
　
３．対比
　
　そこで、本件補正発明と引用発明とを対比する。
　
（１）引用発明の「システムパラメータ」は、「選択するメニューの番号（サブピクチャストリーム番号）、選択するオーディオストリーム番号、あるいはハイライト表示するボタン番号など」(上記摘示事項（１））を表し、「DVDプレーヤ１と各デジタルテレビジョン受像機３−ｉのデコーダ４−ｉには、常に同一のシステムパラメータが保持される」(上記摘示事項（３））から、本件補正発明の「その他の送信側と受信側での再生状態を整合させるための制御情報であるプライベートデータ」に相当する。
（２）IEEE１３９４のIsochronous通信は、予め定められたレートでデータを伝送するものであり、引用発明の「インタフェースの１３９４Isochronous部」は、「MPEG2-TSによってAVバスを介して供給されてきたビデオデータ、オーディオデータ、サブピクチャデータ、およびシステムパラメータを入力し、入力されたデータをフォーマット変換する」ものであるから、本件補正発明の「予め定められた伝送レートのディジタルインターフェースを介して映像データ、音楽データ及びその他の送信側と受信側での再生状態を整合させるための制御情報であるプライベートデータを含むディジタル受信データを受信するディジタルデータ受信手段」と「この受信手段で受信されたディジタル受信データからＭＰＥＧのトランスポートストリームを再生するＭＰＥＧトランスポートストリーム再生手段」の機能を有している。
（３）引用発明の「デマルチプレクサ」は、「入力されたデータからオーディオデータ、ビデオデータ、サブピクチャデータ、およびシステムパラメータをそれぞれ分離する」ものであり、「オーディオデコーダ」、「ビデオデコーダ」及び「サブピクチャデコーダ」は、それぞれ「入力されたオーディオデータ」、「ビデオデータ」及び「サブピクチャデータをデコードする」ものであるから、本件補正発明の「この手段で再生されたＭＰＥＧトランスポートストリームを少なくとも映像データ、音楽データ及びその他のプライベートデータに分割すると共に各データ毎にデコードして再生信号を出力する再生手段」の機能を有している。
（４）引用発明の「デコード制御部」は、「オーディオデコーダ、ビデオデコーダ、およびサブピクチャデコーダのデコード処理をシステムパラメータに対応して制御する」ものであるから、本件補正発明の「前記プライベートデータに基づいて前記再生手段を制御する制御手段」に相当する。
（５）引用発明の「デコーダ」は、本件補正発明の「ディジタルビデオ信号受信装置」に相当する。
　
　そうすると、本件補正発明と引用発明とは、次の点で一致する。
　
＜一致点＞
　
「予め定められた伝送レートのディジタルインターフェースを介して映像データ、音楽データ及びその他の送信側と受信側での再生状態を整合させるための制御情報であるプライベートデータを含むディジタル受信データを受信するディジタルデータ受信手段と、
　この受信手段で受信されたディジタル受信データからＭＰＥＧのトランスポートストリームを再生するＭＰＥＧトランスポートストリーム再生手段と、
　この手段で再生されたＭＰＥＧトランスポートストリームを少なくとも映像データ、音楽データ及びその他のプライベートデータに分割すると共に各データ毎にデコードして再生信号を出力する再生手段と、
　前記プライベートデータに基づいて前記再生手段を制御する制御手段と
　を備えたディジタルビデオ信号受信装置。」の点。
　
　そして、次の点で相違する。
　
＜相違点＞
　
　「再生手段」について、本件補正発明は、「バッファリング」するものであるのに対し、引用発明は、そのようになされていない点。
　
４．判断
　
　そこで、上記相違点について検討する。
　
　引用発明において、各デコーダの入力側にバッファを設け、デマルチプレクサと各デコーダとの間のデータの流れを調整することは、当業者が任意になし得る程度のことに過ぎない。
　
　そして、上記相違点を総合的に判断しても、本件補正発明が奏する効果は引用例から、当業者が十分に予測できたものであって、格別なものとはいえない。
　
　したがって、本件補正発明は、引用例に記載された発明に基づいて当業者が容易に発明をすることができたものであり、特許法第２９条第２項の規定により、特許出願の際独立して特許を受けることができないものである。
　
５．本件補正についてのむすび
　
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
　
１．本願発明
　
　平成１９年５月１４日付けの手続補正は、上記のとおり却下されたので、本願の請求項８に係る発明は、願書に最初に添付された明細書の特許請求の範囲の請求項８に記載された事項により特定されるものであるところ、請求項８に係る発明（以下「本願発明」という。）は、上記「第２［理由」１．」に本件補正前の請求項８として記載したとおりのものである。
　
２．引用例
　
　原査定の拒絶の理由で引用された引用例及びその記載事項は、上記「第２［理由］２．」に記載したとおりである。
　
３．対比・判断
　
　本願発明は、上記「第２［理由］３．及び４．」で検討した本件補正発明から、発明特定事項である「ディジタル受信データ」について「映像データ、音楽データ及びその他の送信側と受信側での再生状態を整合させるための制御情報であるプライベートデータを含む」との構成を削除したものである。
　そうすると、本願発明の構成要件を全て含み、さらに他の構成要件を付加したものに相当する本件補正発明が、上記「第２［理由］３．及び４．」に記載したとおり、引用例に記載された発明に基づいて当業者が容易に発明をすることができたものであるから、本願発明も、同様の理由により、引用例に記載された発明に基づいて当業者が容易に発明をすることができたものである。
　
４．むすび
　
　以上のとおり、本願の請求項８に係る発明は、特許法第２９条第２項の規定により特許を受けることができない。
　したがって、本願は、その余の請求項について論及するまでもなく拒絶すべきものである。
　
　よって、結論のとおり審決する。